(57)【特許請求の範囲】
【請求項１】
複写機能、通信機能、スキャナ機能、プリンタ機能の各機能モードを備えた通信端末装置において、
操作部に前記各機能モードでの各種設定を可能とする機能キーと宛て先を指定する多数個のワンタッチキーを備え、この多数個のワンタッチキー全体を覆うカバーが操作部に開閉可能に設けられ、このカバーに多数個のワンタッチキーのうちの複数個のワンタッチキーに対面するように１個のモード選択キーが取り付けられ、カバーを閉めた状態でモード選択キーを押下すると、モード選択キーの下方のワンタッチキーが押下され、前記機能モードを選択するモード選択入力として受けられ、カバーを開けた状態では、多数個のワンタッチキーは宛て先キーとして機能することを特徴とする通信端末装置。
【請求項２】
前記モード選択キーの押下により前記機能モードを選択した状態で、前記機能キーを押下することにより選択した機能モードに関する各種設定を可能とした請求項１記載の通信端末装置。
【発明の詳細な説明】
【０００１】
【発明の属する技術分野】
この発明は、複写機能、通信機能、スキャナ機能、プリンタ機能を有するファクシミリ装置等の通信端末装置に関する。
【０００２】
【従来の技術】
一般に、ファクシミリ装置は、複写機能、通信機能、スキャナ機能、プリンタ機能を有する。従来のファクシミリ装置では、いずれの機能モードとするかの選択は、各々対応するスイッチを設けて、そのスイッチをオンすることにより行っている。
【０００３】
【発明が解決しようとする課題】
上記した従来のファクシミリ装置のように、モードを選択するのに、各々スイッチを設ける方式では、モード数が多くなると、応じてモード選択キーが増えて、パネルを操作し辛くなる。また、機能設定は、機能設定キーを押下すると、各モード全ての機能設定メニューが順次表示されるので、操作が煩雑であるという問題があった。
【０００４】
この発明は上記問題点に着目してなされたものであって、操作部が簡素で操作も簡便で、機能設定も容易な通信端末装置を提供することを目的としている。
【０００５】
【課題を解決するための手段】
この発明の通信端末装置は、複写機能、通信機能、スキャナ機能、プリンタ機能の各機能モードを備えたものにおいて、操作部に前記各機能モードでの各種設定を可能とする機能キーと宛て先を指定する多数個のワンタッチキーを備え、この多数個のワンタッチキー全体を覆うカバーが操作部に開閉可能に設けられ、このカバーに多数個のワンタッチキーのうちの複数個のワンタッチキーに対面するように１個のモード選択キーが取り付けられ、カバーを閉めた状態でモード選択キーを押下すると、モード選択キーの下方のワンタッチキーが押下され、前記機能モードを選択するモード選択入力として受けられ、カバーを開けた状態では、多数個のワンタッチキーは宛て先キーとして機能することを特徴とする。
【０００６】
この通信端末装置では、モード選択キーが操作される毎に、複写機能モード、通信機能モード、スキャナ機能モード、プリンタ機能モードが順次選択される。選択される順は、他の順であってもよい。
【０００７】
この通信端末装置においては、前記モード選択キーの押下により前記機能モードを選択した状態で、前記機能キーを押下することにより選択した機能モードに関する各種設定を可能とすることもできる。
【０００９】
【発明の実施の形態】
以下、実施の形態により、この発明をさらに詳細に説明する。図１は、この発明が実施されるファクシミリ装置（通信端末装置）の構成を示すブロック図である。図１において、ファクシミリ装置は、ＮＣＵ１と、モデム２と、画像メモリ３と、ＲＡＭ４と、ＲＯＭ５と、主制御部（ＣＰＵ）６と、表示部７と、操作部８と、読み取り部９と、記録部１０とを備えている。ＮＣＵ１は、電話回線１１との接続を制御すると共に、相手先の電話番号（＝対応したダイヤル信号）の送出及び着信を検出するための機能を備えている。モデム２は、ＩＴＵ−Ｔ勧告Ｔ．３０に従ったファクシミリ伝送制御手順に基づいて、Ｖ．１７、Ｖ．２７ｔｅｒ、Ｖ２９等に従った送受信データの変調及び復調を行う。画像メモリ３は受信画像データや読み取り部９で読み取られた画像データを一時的に記憶する。ＲＡＭ４は、ファクシミリ装置に関する各種情報を一時的に記憶する。ＲＯＭ５は装置全体を制御するためのプログラムを記憶する。主制御部６はＣＰＵで構成され、ＲＯＭ５に記憶されたプログラムに従い、装置を構成する各部を制御する。表示部７は装置の動作状態等の各種情報の表示を行う。操作部８はテンキー、ワンタッチキー、スタートキー、その他のキーで構成される。読み取り部９は原稿上の画像データを読み取って、白黒２値のイメージデータを出力する。記録部１０は、電子写真式のプリンタよりなり、受信画像データやコピー動作において、読み取り部９で読み取られた原稿の画像データを記録紙上に記録する。もっとも、ここに示す実施形態ファクシミリ装置のハード構成は、特に新規なものではなく、各回路構成自体は、既によく知られたものである。この実施形態ファクシミリ装置の新規な特徴事項は、ＲＯＭ５に格納されるシステムプログラムにより、主制御部６が実行する処理により、達成される機能にある。
【００１０】
図２は、操作部８のパネルの具体例を示し、ここで右側部分の一部を示している。ここでは、ストップキー２１、スタートキー２２、テンキー２３、シフトキー２４、機能キー２５等を有する。また、表示部７も配置されている。図３は、操作部８のパネルの左側部分の一部を示している。図３の（ａ）は、カバー２６にモード選択キー２７が設けられ、カバー２６が閉じた状態を示している。図３の（ｂ）はカバー２６が開いた状態を示しており、多くのワンタッチキー２８が設けられている。カバー２６が開いた状態で、ワンタッチキー２８は宛て先キーとして機能し、カバー２６が閉じた状態で、モード選択キー２７が押下されると、その下のワンタッチキーが押下され、モード選択を入力する。
【００１１】
この実施形態ファクシミリ装置では、カバー２６を閉じた状態で、モード選択キー２７を押下すると、応じてその下のワンタッチキー２８が押下され、表示部７の表示が、図４に示すように、Ｆａｘ  Ｒｅａｄｙ、Ｃｏｐｙ  Ｒｅａｄｙ、Ｐｒｉｎｔｅｒ  Ｒｅａｄｙ、Ｓｃａｎｎｅｒ  Ｒｅａｄｙと順次変化する。
【００１２】
次に、この実施形態ファクシミリ装置のモード選択、及び機器設定の処理動作を図５、図６に示すフロー図とともに説明する。動作が開始すると、先ずステップＳＴ１において、ワンタッチキーが押されたか否かを判定する。ワンタッチキーが押された場合は、ステップＳＴ２へ移行する。一方、ワンタッチキーが押されていない場合は、ステップＳＴ７へ移行する。
【００１３】
ステップＳＴ２においては、カバーが閉じた状態か否かを判定する。カバーが閉じた状態の場合、ワンタッチキーはモード選択キーの操作を意味し、ステップＳＴ３へ移行する。一方、カバーが閉じた状態でない場合、そのワンタッチキーは宛て先キーとして機能するので、ステップＳＴ２３へ移行する。
【００１４】
ステップＳＴ３においては、モードＮｏ（番号）を＋１し、例えばモードＮｏが０の場合に１とし、ステップＳＴ４へ移行する。ステップＳＴ４においては、モードＮｏが３より大きいか否かを判定する。３より大きい場合、つまり４の場合には、ここではモードＮｏが４以上のモードを想定していないので、ステップＳＴ５へ移行する。そして、ステップＳＴ５において、モードＮｏを０にリセットし、次にステップＳＴ６へ移行する。一方、ステップＳＴ４において、モードＮｏが３より大きくない場合は、ステップＳＴ５をスキップして、ステップＳＴ６へ移行する。
【００１５】
ステップＳＴ６においては、モードＮｏに対応するモードを表示部７に表示する。モードＮｏが０の場合に“ファックスできます”、例えば図４の（ａ）表示がされる。モードＮｏが１の場合に“コピーできます”、例えば図４の（ｂ）の表示がされる。同様にモードＮｏが２の場合“プリントできます”、例えば図４の（ｃ）の表示が、またモードＮｏが３の場合“スキャンできます”、例えば図４の（ｄ）の表示が、それぞれなされる。そして、処理を終了する。
【００１６】
このステップＳＴ１〜ＳＴ６のルーチンは、カバー２６が閉じられた状態でモード選択キー２７の操作により、モードがファックス→コピー→プリント→スキャン→ファックス→……と順次選択される場合の処理を示している。
【００１７】
ステップＳＴ２３においては、カバー２６を開いた状態でのワンタッチキーの操作なので、そのキーに対応する宛て先指定を行い、処理を終了する。
【００１８】
ステップＳＴ７においては、機能キー２５が押下されたか否かを判定する。押下されていない場合は、ここでの処理に関係しないので、処理を終了する。一方、機能キー２５が押下された場合は、ステップＳＴ８へ移行する。ステップＳＴ８においては、モードＮｏが０か否かを判定する。モードＮｏが０である場合には、ステップＳＴ９へ移行する。一方、モードＮｏが０でない場合は、ステップＳＴ１２へ移行する。
【００１９】
ステップＳＴ９においては“ファックスモード機能設定”を表示し、ステップＳＴ１０へ移行する。ステップＳＴ１０においては、キー入力ありか否かを判定する。セットキーの場合は、ステップＳＴ１１へ移行する。一方、機能キーの場合は、ステップＳＴ１３へ移行する。ステップＳＴ１１においては、ファックスの機器設定を行う。具体的には、優先読み取りモード、優先読み取り濃度、受信縮小率、呼び出しベル回数……等を設定する。その後、処理を終了する。
【００２０】
ステップＳＴ１２においては、モードＮｏが１か否かを判定する。モードＮｏが１の場合は、ステップＳＴ１３へ移行する。モードＮｏが１でない場合は、ステップＳＴ１６へ移行する。ステップＳＴ１３においては“コピーモード機能設定”を表示し、ステップＳＴ１４へ移行する。ステップＳＴ１４においては、キー入力ありか否かを判定する。セットキーの場合は、ステップＳＴ１５へ移行する。一方、機能キーの場合は、ステップＳＴ１７へ移行する。ステップＳＴ１５においては、コピーの機器設定を行う。具体的には、優先読み取りモード、優先読み取り濃度、ソート、……等を設定する。その後、処理を終了する。
【００２１】
ステップＳＴ１６においては、モードＮｏが２か否かを判定する。モードＮｏが２の場合は、ステップＳＴ１７へ移行する。一方、モードＮｏが２でない場合は、ステップＳＴ２０へ移行する。ステップＳＴ１７においては“プリンタモード機能設定”を表示し、ステップＳＴ１８へ移行する。ステップＳＴ１８においては、キー入力ありか否かを判定する。セットキーの場合は、ステップＳＴ１９へ移行する。一方、機能キーの場合は、ステップＳＴ２０へ移行する。ステップＳＴ１９においては、プリンタの機器設定を行う。具体的には、ＴＣＰ／ＩＰの設定、ＩＰアドレス、サブネットマスク、デフォルトゲートウェイ……等を設定する。その後、処理を終了する。
【００２２】
ステップＳＴ２０においては“スキャナモード機器設定”の表示を行い、ステップＳＴ２１へ移行する。ステップＳＴ２１においては、キー入力ありか否かを判定する。セットキーの場合は、ステップＳＴ２２へ移行する。一方、機能キーの場合は、ステップＳＴ９へ戻る。ステップＳＴ２２においては、スキャナの機器設定を行う。具体的には、優先読み取りサイズ、優先読み取りモード、優先読み取り濃度……等を設定する。その後、処理を終了する。
【００２３】
【発明の効果】
請求項１に係る発明によれば、多数個のワンタッチキー全体を覆う開閉可能なカバーが操作部に設けられ、このカバーに多数個のワンタッチキーのうちの複数個のワンタッチキーに対面するように１個のモード選択キーが取り付けられ、カバーを閉じた状態でモード選択キーを押下することにより、複写機能、通信機能、スキャナ機能、プリンタ機能の各モードを選択するものであるから、操作パネルが簡素となり、操作も簡便となる。
また、モード選択キーを省スペースで、かつ大きくできる。
【００２４】
請求項２に係る発明によれば、モード選択キーの押下により機能モードを選択した状態で、機能キーを押下することにより、選択した機能モードに関する各種設定を可能にしたので、機能設定操作が簡便となった。
【図面の簡単な説明】
【図１】この発明が実施されるファクシミリ装置の構成を示すブロック図である。
【図２】同実施形態ファクシミリ装置の操作部のパネルの右側の一部分を示す図である。
【図３】同実施形態ファクシミリ装置の操作部のパネルの左側の一部分を示す図である。
【図４】同実施形態ファクシミリ装置のモード選択の表示例を示す図である。
【図５】同実施形態ファクシミリ装置のモード選択及び機器設定の処理を説明するフロー図である。
【図６】  図５とともに、同実施形態ファクシミリ装置のモード選択及び機器設定の処理を説明するフロー図である。
【符号の説明】
１                ＮＣＵ
２                モデム
３                画像メモリ
４                ＲＡＭ
５                ＲＯＭ
６                主制御部
７                表示部
８                操作部
９                読み取り部
１０              記録部
２５              機能キー
２６              カバー
２７              モード選択キー
２８              ワンタッチキー
【図１】
0004154844.tif 000002
【図２】
0004154844.tif 000003
【図３】
0004154844.tif 000004
【図４】
0004154844.tif 000005
【図５】
0004154844.tif 000006
【図６】
0004154844.tif 000007